(57)【特許請求の範囲】
【請求項１】
飲料容器を保持可能な車両用飲料容器ホルダにおいて、
飲料容器を載置する容器載置部と、
飲料容器の上部側の外周面を保持する保持部と、を備え、
前記容器載置部および前記保持部は、それぞれ上下方向に移動自在に構成され、
前記保持部は、回転させることにより開口を開閉可能なキャップ付きの飲料容器を前記容器載置部に載置する場合に、キャップの外周面を保持可能であり、
前記容器載置部は、上下方向の移動の際に、上下方向を回転中心として回転する回転機構を有する
ことを特徴とする車両用飲料容器ホルダ。
【請求項２】
前記容器載置部は、最上部から下方へ移動させることにより、前記キャップ付きの飲料容器を固定する容器固定機構を有する
ことを特徴とする請求項１に記載の車両用飲料容器ホルダ。
【請求項３】
前記容器載置部および前記保持部をそれぞれ上方に付勢する付勢手段と、
前記保持部を下方の所定位置まで移動させたときに前記保持部の上方への移動を規制するロック機構を備えた
ことを特徴とする請求項１または２に記載の車両用飲料容器ホルダ。
【請求項４】
前記ロック機構は、前記保持部がロック機構によって上方への移動が規制されている状態で前記保持部をさらに下方に移動させると、前記保持部の上方への移動の規制が解除される
ことを特徴とする請求項３に記載の車両用飲料容器ホルダ。
【請求項５】
前記保持部は、前記容器載置部の上面側を覆う蓋に設けられ、
前記蓋は、前記容器載置部の上面側を閉鎖した状態および開放した状態が保持される
ことを特徴とする請求項１乃至４のいずれかに記載の車両用飲料容器ホルダ。
【発明の詳細な説明】
【技術分野】
【０００１】
本発明は、車両の車室内において用いられる車両用飲料容器ホルダに関するものである。
【背景技術】
【０００２】
従来、この種の車両用飲料容器ホルダとしては、飲料容器の下端側を保持する容器保持部と、容器保持部の上面側を覆う蓋と、を備えたものが知られている（例えば、特許文献１参照）。
【先行技術文献】
【特許文献】
【０００３】
【特許文献１】特開２０１０−６１８６号公報
【発明の概要】
【発明が解決しようとする課題】
【０００４】
前記車両用飲料容器ホルダでは、蓋を開放して容器保持部を露出させた後、飲料容器を容器保持部に保持させるようになっている。前記車両用飲料容器ホルダでは、飲料容器の下端側のみが容器保持部に保持されるため、高さ寸法の大きい飲料容器を容器保持部に保持させると、飲料容器の保持された状態が不安定となる。このため、高さ寸法の大きい飲料容器を容器保持部に保持させた場合には、走行する車両の振動が容器保持部に保持された飲料容器に伝わって、容器保持部から飲料容器が脱落してしまうおそれがある。
【０００５】
本発明の目的とするところは、走行する車両の振動が伝わる場合においても確実に飲料容器を保持することのできる車両用飲料容器ホルダを提供することにある。
【課題を解決するための手段】
【０００６】
本発明は、前記目的を達成するために、飲料容器を保持可能な車両用飲料容器ホルダにおいて、飲料容器を載置する容器載置部と、飲料容器の上部側の外周面を保持する保持部と、を備え、前記容器載置部および前記保持部は、それぞれ上下方向に移動自在に構成され、前記保持部は、回転させることにより開口を開閉可能なキャップ付きの飲料容器を前記容器載置部に載置する場合に、キャップの外周面を保持可能であり、前記容器載置部は、上下方向の移動の際に、上下方向を回転中心として回転する回転機構を有している。
【０００７】
これにより、保持部によって飲料容器の上部側の外周面が保持されることから、走行する車両から飲料容器に大きな振動が伝わる場合においても、飲料容器が確実に保持される。
【０００８】
また、請求項２に記載の発明は、前記容器載置部が、最上部から下方へ移動させることにより、前記キャップ付きの飲料容器を固定する容器固定機構を有することを特徴とする。
また、請求項３に記載の発明は、前記容器載置部および前記保持部をそれぞれ上方に付勢する付勢手段と、前記保持部を下方の所定位置まで移動させたときに前記保持部の上方への移動を規制するロック機構を備えたことを特徴とする。
また、請求項４に記載の発明は、前記ロック機構が、前記保持部がロック機構によって上方への移動が規制されている状態で前記保持部をさらに下方に移動させると、前記保持部の上方への移動の規制が解除されることを特徴とする。
また、請求項５に記載の発明は、前記保持部が、前記容器載置部の上面側を覆う蓋に設けられ、前記蓋は、前記容器載置部の上面側を閉鎖した状態および開放した状態が保持されることを特徴とする。
【発明の効果】
【０００９】
本発明によれば、走行する車両から飲料容器に大きな振動が伝わる場合においても、飲料容器を確実に保持することができるので、飲料容器の脱落を防止することができる。
【図面の簡単な説明】
【００１０】
【図１】本発明の一実施形態を示す車両用飲料容器ホルダの側面断面図である。
【図２】蓋固定機構を示す平面断面図である。
【図３】飲料を保持させて蓋を開放する動作を示す図である。
【図４】飲料を保持させて蓋を開放する動作を示す図である。
【図５】飲料を保持させて蓋を開放する動作を示す図である。
【図６】飲料を保持させて蓋を開放する動作を示す図である。
【図７】飲料を保持させて蓋を開放する動作を示す図である。
【図８】飲料を保持させて蓋を閉鎖する動作を示す図である。
【図９】飲料を保持させて蓋を閉鎖する動作を示す図である。
【発明を実施するための形態】
【００１１】
図１乃至図９は、本発明の一実施形態を示すものである。
【００１２】
本発明の車両用飲料容器ホルダ１は、例えば、車室内の車幅方向に配置された運転席と助手席との間に設けられたシフトレバーの前方または後方に設けられている。車両用飲料容器ホルダ１は、図１に示すように、車室内の所定の面に形成された凹部１ａに設けられるとともに、凹部１ａから出没自在に構成されている。車両用飲料容器ホルダ１は、飲料容器Ａを載置するための容器載置ユニット１０と、容器載置ユニット１０に載置された飲料容器Ａの上面を覆うための蓋ユニット２０と、を備えている。ここで、本実施形態における飲料容器Ａは、上下方向を中心に回転させることで上面開口を開閉可能なキャップＡ１を有するペットボトルや金属製のボトルである。
【００１３】
容器載置ユニット１０は、飲料容器Ａが載置される載置台１１と、載置台１１を上下方向の所定範囲内を移動自在に支持するための載置台支持機構１２と、載置台１１の上下方向の移動に伴って載置台１１を上下方向を回転中心として回転させるための載置台回転機構１３と、載置台１１の下方向の移動に連動して載置台１１に載置された飲料容器Ａを載置台１１に固定するための容器固定機構１４と、を有している。
【００１４】
載置台１１は、載置される飲料容器Ａの底面の外径よりもやや大きく形成された円板状の部材である。
【００１５】
載置台支持機構１２は、車両側の部材に固定された基台１２ａと、基台１２ａの上方に設けられ、載置台１１を摺動自在に支持するための支持部材１２ｂと、基台１２ａと支持部材１２ｂとの間に設けられ、支持部材１２ｂを上方に付勢するための圧縮ばね１２ｃと、を有している。
【００１６】
載置台回転機構１３は、載置台１１の下面に設けられ、上下方向に延びるスクリューシャフト１３ａと、基台１２ａに設けられ、スクリューシャフト１３ａが嵌合する嵌合孔１３ｂと、を有している。スクリューシャフト１３ａは、円柱状のシャフト本体１３ｃの外周面に対して螺旋状に延びる突起部１３ｄが形成された部材からなる。突起部１３ｄは、上部側から下部側に向かって、上方から見て反時計回りとなる螺旋状に延びている。嵌合孔１３ｂは、シャフト本体１３ｃが嵌合する内径寸法を有し、その内面に突起部１３ｄが係合する係合溝１３ｅが設けられている。基台１２ａに対してスクリューシャフト１３ａを上下方向に移動させると、突起部１３ｄが係合溝１３ｅに案内されるため、スクリューシャフト１３ａは回転しながら上下方向に移動する。
【００１７】
容器固定機構１４は、飲料容器Ａの外周面の下部に当接する複数の固定部材１４ａと、載置台１１の下方への移動に連動して各固定部材１４ａを飲料容器Ａに当接する方向に移動させる案内板１４ｂと、を有している。各固定部材１４ａは、下端側が載置台１１の外周部に揺動自在に支持されており、上端側が載置台１１の内側に延出するように形成されている。各固定部材１４ａは、上端側の先端が載置台１１に載置された飲料容器Ａの外周面に当接可能である。案内板１４ｂは、載置台１１の移動範囲の上下方向に亘って延びるように設けられ、各固定部材１４ａの外側に配置されている。案内板１４ｂは、上部側に対して下部側が載置台１１の内側に向かって張り出すように屈曲形成されている。案内板１４ｂには、載置台１１が下方に移動することによって、固定部材１４ａの外側面が接触し、固定部材１４ａの上部側の先端を内側に移動させる。即ち、容器固定機構１４は、載置台１１が下方に移動することによって、載置台１１に載置された飲料容器Ａを載置台１１に固定する。
【００１８】
蓋ユニット２０は、上下方向の所定範囲内を移動自在に設けられたユニット本体２１と、ユニット本体２１の上端側に設けられた蓋２２と、蓋２２に飲料容器ＡのキャップＡ１を固定するための保持部としてのキャップ固定機構２３と、上部側に位置するユニット本体２１を下方に移動させることによってユニット本体２１を下部側でロックし、下部側に位置するユニット本体２１を下方に移動させることによって下部側でのロックを解除してユニット本体２１を上部側に移動させるプッシュロック機構２４と、を有している。
【００１９】
蓋２２は、凹部１ａを閉鎖可能な形状に形成され、外周端部がユニット本体２１の上端側に支軸２２ａを介して揺動自在に支持されている。蓋２２は、支軸２２ａの摩擦や形状等によって開放した姿勢および閉鎖した姿勢を保持することが可能に構成されている。
【００２０】
キャップ固定機構２３は、蓋２２の中央部の下面側に設けられ、飲料容器ＡのキャップＡ１を挿入可能な空間２３ａに構成されている。キャップ固定機構２３は、図２に示すように、空間２３ａに位置するキャップＡ１の外周面に幅方向両側から当接する一対の第１押圧部材２３ｂと、一対の第１押圧部材２３ｂの一端側からキャップＡ１の外周面に当接する第２押圧部材２３ｃと、第２押圧部材２３ｃをキャップＡ１側に移動させてキャップＡ１をロック状態にするためのロック部材２３ｄと、を有している。一対の第１押圧部材２３ｂ他端側と空間２３ａの内壁との間には、各第１押圧部材２３ｂをそれぞれ空間２３ａに位置するキャップＡ１側に付勢するための押圧ばね２３ｅが設けられている。ロック部材２３ｄは、蓋２２に揺動自在に支持されており、一端が第２押圧部材２３ｃに当接した状態で、他端側が蓋２２の上面側から突出している。ロック部材２３ｄは、他端側を押し下げて一端側を第２押圧部材２３ｃに当接させると、キャップＡ１がロックされた状態となる。
【００２１】
プッシュロック機構２４は、ユニット本体２１を上方に付勢するためのユニット付勢ばね２４ａと、ユニット本体２１の下端側に設けられた弾性を有するピン２４ｂと、凹部１ａの壁面に設けられ、ピン２４ｂが係合可能な溝２４ｃと、を有している。溝２４ｃは、ハート形状に形成されるとともに、溝底に一定方向に複数の段差が形成されている。プッシュロック機構２４は、周知のハート状カム方式のプッシュロック機構である。
【００２２】
以上のように構成された車両用飲料容器ホルダにおいて、キャップＡ１付きの飲料容器Ａを車両用飲料容器ホルダ１にセットし、キャップＡ１を取り外す動作を説明する。
【００２３】
まず、図３に示すように、蓋ユニット２０が上部側に位置する状態で蓋２２を開放し、載置台１１に飲料容器Ａを載置する。
【００２４】
次に、図４に示すように、蓋２２を閉鎖し、キャップ固定機構２３のロック部材２３ｄによってキャップＡ１をロックすることなく、蓋ユニット２０を下方に移動させる。このとき、飲料容器Ａは、蓋ユニット２０の下方への移動に連動して容器固定機構１４によって載置台１１に固定され、載置台１１と共に上方から見て反時計回りに回転する。しかし、キャップＡ１はキャップ固定機構２３によって蓋２２にロックされていないため、キャップＡ１に載置台１１の回転力は作用しない。
【００２５】
蓋ユニット２０がプッシュロック機構２４によって下部側でロックされた状態となった後、図５に示すように、ロック部材２３ｄを操作して蓋２２に対してキャップＡ１をロックし、その後、蓋ユニット２０を押し下げてプッシュロック機構２４のロック状態を解除する。
【００２６】
プッシュロック機構２４のロック状態が解除されると、蓋ユニット２０は上方に移動する。このとき、飲料容器Ａは、図６に示すように、キャップＡ１が蓋２２に固定された状態で、載置台１１と共に上方から見て時計回りに回転する。これにより、キャップＡ１に対して飲料容器Ａが回転し、飲料容器ＡからキャップＡ１が取り外された状態となるとともに、上部側において容器固定機構１４による飲料容器Ａの固定状態が解除される。
【００２７】
最後に、蓋２２を開放することによって、飲料容器Ａを取り出し可能となる。このとき、キャップＡ１は、キャップ固定機構２３によってロックされており、図７に示すように、蓋２２側に保持されている。したがって、飲料容器Ａを取り出した乗員は、キャップＡ１を取り外す動作を必要とせず、飲料を飲むことが可能となる。
【００２８】
次に、キャップＡ１が飲料容器Ａから取り外されて蓋２２に保持された状態において、キャップＡ１が取り外された飲料容器Ａを車両用飲料容器ホルダ１に戻すときの動作を説明する。
【００２９】
まず、図８に示すように、蓋ユニット２０が上部側に位置する状態で飲料容器Ａを載置台１１に載置し、蓋２２を閉鎖する。
【００３０】
次に、図９に示すように、蓋ユニット２０を下方に移動させる。このとき、飲料容器Ａは、蓋ユニット２０の下方への移動に連動して容器固定機構１４によって載置台１１に固定され、載置台１１と共に上方から見て反時計回りに回転する。また、キャップＡ１はキャップ固定機構２３によって蓋２２にロックされているため、キャップＡ１に対して飲料容器Ａが回転し、飲料容器Ａの開口がキャップＡ１によって閉鎖される。
【００３１】
また、飲料容器Ａを廃棄するとき等、キャップＡ１を飲料容器Ａに取り付けた状態で車両用飲料容器ホルダ１から取り外す場合を説明する。まず、蓋ユニット２０が下部に位置する状態において、ロック部材２３ｄを操作して蓋２２に対するキャップＡ１のロック状態を解除し、プッシュロック機構２４のロック状態を解除する。これにより、キャップＡ１が飲料容器Ａに取り付けられた状態で蓋ユニット２０が上部側に移動するため、蓋２２を開放すると、キャップＡ１が取り付けられたままの状態の飲料容器Ａを取り出すことが可能となる。
【００３２】
このように、本実施形態の車両用飲料容器ホルダによれば、飲料容器Ａを容器載置ユニット１０に載置した状態で、キャップ固定機構２３によって飲料容器Ａの上部側の外周面を保持するようにしている。これにより、走行する車両から飲料容器Ａに大きな振動が伝わる場合においても、飲料容器Ａを確実に保持することができるので、飲料容器Ａの脱落を防止することができる。
【００３３】
また、容器載置ユニット１０および蓋ユニット２０を、それぞれ上下方向に移動自在に構成している。これにより、高さ寸法の異なる飲料容器Ａに対応可能となり、多種類の飲料容器Ａを保持することが可能となる。
【００３４】
また、容器載置ユニット１０が、載置台１１の上下方向の移動の際に、上下方向を回転中心として載置台１１を回転させる載置台回転機構１３を有している。これにより、キャップＡ１をキャップ固定機構２３によって固定した状態で載置台１１を回転させることによって、飲料容器ＡのキャップＡ１を開閉することができるので、乗員が飲料容器ＡのキャップＡ１を着脱する操作を必要とすることなく、飲料を飲むことが可能となる。
【００３５】
また、容器載置ユニット１０が、載置台１１を最上部から下方へ移動させることにより、飲料容器Ａを固定するための容器固定機構１４を有している。これにより、回転する載置台１１に飲料容器Ａを固定することができるので、載置台回転機構１３によって載置台１１を回転させることにより、確実にキャップＡ１の着脱を行うことが可能となる。
【００３６】
また、蓋ユニット２０を下方の所定位置まで移動させたときに蓋ユニット２０の上方への移動を規制するプッシュロック機構２４を備えている。これにより、蓋ユニット２０を下方へ移動させる操作のみで、蓋ユニット２０を凹部１ａ内に位置させることができ、操作性を向上させることができる。
【００３７】
また、蓋ユニット２０がプッシュロック機構２４によって上方への移動が規制されている状態で、蓋ユニット２０を下方に移動させると、蓋ユニット２０の上方への移動の規制が解除される。これにより、蓋ユニット２０を下方へ移動させる操作のみで、蓋ユニット２０を凹部１ａから上方に突出させることができるので、操作性をさらに向上させることが可能となる。
【００３８】
また、蓋ユニット２０の蓋２２がユニット本体２１に対して容器載置ユニット１０の上面側を閉鎖した状態および開放した状態が保持可能である。これにより、蓋２２を開放した状態を保持することで、飲料容器Ａを取り出す操作が容易となり、また、蓋２２を閉鎖した状態を保持することで、車両用飲料容器ホルダ１を使用しない場合に凹部１ａを閉鎖して目立たなくすることができる。
【００３９】
尚、前記実施形態では、キャップＡ１付きの飲料容器Ａを示したが、キャップＡ１を有さない飲料容器においても、上部側の外周面を保持することができれば、確実に飲料容器を保持することができ、飲料容器の脱落を防止することが可能となる。
【００４０】
また、前記実施形態では、容器載置ユニット１０の支持部材１２ｂを圧縮ばね１２ｃによって上方に付勢するとともに、蓋ユニット２０のユニット本体２１をユニット付勢ばね２４ａによって上方に付勢するものを示したが、これに限られるものではない。例えば、蓋ユニット２０のユニット本体２１が、凹部１ａの壁面との摩擦力等によって、上下方向の高さ位置を維持することが可能であれば、ユニット付勢ばね２４ａを用いる必要はない。この場合、ユニット本体２１には飲料容器Ａを介して圧縮ばね１２ｃの付勢力が伝わるため、ユニット本体２１は圧縮ばね１２ｃによって上方に付勢される。
【００４１】
また、前記実施形態では、載置台回転機構１３によって載置台１１を回転させるようにしたものを示したが、電動モータを用いて載置台１１を回転させるようにしてもよい。
【００４２】
また、前記実施形態では、蓋ユニット２０を乗員の手で上下方向に移動させるようにしたものを示したが、電動モータを用いて蓋ユニット２０を上下方向に移動させるようにしてもよい。
【符号の説明】
【００４３】
１０…容器載置ユニット、１１…載置台、１２…載置台支持機構、１３…載置台回転機構、１４…容器固定機構、２０…蓋ユニット、２１…ユニット本体、２２…蓋、２３…キャップ固定機構、２４…プッシュロック機構。
【図１】
0005809821.tif 000002
【図２】
0005809821.tif 000003
【図３】
0005809821.tif 000004
【図４】
0005809821.tif 000005
【図５】
0005809821.tif 000006
【図６】
0005809821.tif 000007
【図７】
0005809821.tif 000008
【図８】
0005809821.tif 000009
【図９】
0005809821.tif 000010